(57)【要約】【課題】被記録材の後端が搬送ローラから外れたのちにおいても、被記録材後端側の浮き上がりがない記録装置を提供する。【解決手段】被記録材を狭持して搬送する搬送ローラ１５と、被記録材搬送経路を側視して、搬送ローラ１５の下流側近傍に配置され、被記録材に記録を行う記録ヘッド２３と、記録ヘッド２３の下部に設けられ、被記録材を下側から支えるプラテン２９と、記録ヘッド２３の下流側に配置され、回転駆動する排紙駆動ローラ３１ａと、この排紙駆動ローラ３１ａの上側に配置され従動回転する排紙従動ローラ３１ｂとから構成される、記録の行われた被記録材を排出する排紙ローラ３１と、排紙ローラ３１の下流側に配置され、排紙された被記録材を支持するスタッカ５０とを備えた記録装置において、スタッカ５０の頂点部の高さ位置が、排紙駆動ローラ３１ａの頂点部の高さ位置より高く構成されている。【選択図】　　　　図４
2004025451.tif 000002
【特許請求の範囲】
【請求項１】
被記録材を狭持して搬送する搬送ローラと、
被記録材搬送経路を側視して、前記搬送ローラの下流側近傍に配置され、被記録材に記録を行う記録ヘッドと、
前記記録ヘッドの下部に設けられ、被記録材を下側から支えるプラテンと、
前記記録ヘッドの下流側に配置され、回転駆動する排紙駆動ローラと、この排紙駆動ローラの上側に配置され従動回転する排紙従動ローラとから構成される、記録の行われた被記録材を排出する排紙ローラと、
前記排紙ローラの下流側に配置され、排紙された被記録材を支持するスタッカとを備えた記録装置であって、
前記スタッカの頂点部の高さ位置が、前記排紙駆動ローラの頂点部の高さ位置より高く構成されていることを特徴とする、記録装置。
【請求項２】
請求項１において、前記スタッカは、記録装置本体部に取り付けられ、上面が被記録材載置面を形成するスタッカ基部と、使用時には排紙方向に向けて前記スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部とを有し、
少なくとも前記スタッカ基部における頂点部の高さ位置が、前記排紙駆動ローラの頂点部の高さ位置より高く構成されていることを特徴とする、記録装置。
【請求項３】
請求項１において、前記スタッカは、記録装置本体部に取り付けられ、上面が被記録材載置面を形成するスタッカ基部と、使用時には排紙方向に向けて前記スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部とを有し、
少なくとも前記スタッカ引き出し部における頂点部の高さ位置が、前記排紙駆動ローラの頂点部の高さ位置より高く構成されていることを特徴とする、記録装置。
【請求項４】
請求項１において、前記スタッカは、記録装置本体部に取り付けられ、上面が被記録材載置面を形成するスタッカ基部と、使用時には排紙方向に向けて前記スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部とを有し、
前記スタッカ基部における頂点部の高さ位置と、前記スタッカ引き出し部における頂点部の高さ位置とが、前記排紙駆動ローラの頂点部の高さ位置より高く構成されていることを特徴とする、記録装置。
【発明の詳細な説明】
【０００１】
【発明の属する技術分野】
本発明は、被記録材に記録を行う記録装置において、排紙された被記録材を支持するスタッカに特徴を有する記録装置に関する。
【０００２】
【従来の技術】
記録装置の１つにインクジェットプリンタがあり、このインクジェットプリンタの前面側には記録が行われ、排紙された用紙を支持するスタッカが取り付けられている。このスタッカは、用紙の搬送経路を側視して上流側に回動支点を有し、使用時にはインクジェットプリンタの載置面側に回動することにより、下流側端部が上方向を向くような傾斜姿勢となって用紙を支持し、非使用時にはインクジェットプリンタ本体側に回動することにより、略垂直姿勢となって設置スペースを節約している。
【０００３】
当該インクジェットプリンタは、用紙にインクを吐出することにより記録を行う記録ヘッドと、この記録ヘッドと対向して設けられ、用紙を下側から支えるプラテンと、用紙搬送経路を側視して前記記録ヘッドの上流側近傍に配設され、当該記録ヘッド下に用紙を搬送する搬送ローラと、前記記録ヘッドの下流側に配設され、回転駆動する排紙駆動ローラと、この排紙駆動ローラの上側に配置され従動回転する排紙従動ローラとから構成される、記録の行われた用紙を排出する排紙ローラとを備え、この排紙ローラの下流側に前記したスタッカが配設されている。
【０００４】
このような構成において、用紙は搬送ローラと排紙ローラとによって下に凸となるように狭持され、これによりプラテンに押しつけられて記録ヘッドと用紙との距離を規定して記録が行われる。
【０００５】
しかし、用紙を搬送して当該用紙の後端が搬送ローラから外れた後は、この用紙を狭持して搬送姿勢を規制するのは排紙ローラのみとなる。従って、当該用紙において排紙ローラから下流側の部分（すなわち、用紙の先端側）が下方に垂れ下がると、用紙の剛性により前記排紙駆動ローラの頂点を支点として記録ヘッド下にある部分（すなわち、用紙の後端側）がプラテンから浮き上がる、いわゆる跳ね上がり現象を生じる。このように用紙の後端側がプラテンから浮き上がることにより、記録ヘッドとの距離を正確に規定できなくなり正常な記録品質が得られなくなったり、さらに用紙の浮き上がりが大きい場合には記録ヘッドと接触することによって汚損を生じたりすることがある。
【０００６】
【発明が解決しようとする課題】
本発明はこのような問題に鑑みなされたものであって、その課題は、上記したような問題がなく、被記録材後端側の浮き上がりがない記録装置を提供することにある。
【０００７】
【課題を解決するための手段】
上記課題を解決するため、請求項１に記載の記録装置の発明は、被記録材を狭持して搬送する搬送ローラと、被記録材搬送経路を側視して、前記搬送ローラの下流側近傍に配置され、被記録材に記録を行う記録ヘッドと、前記記録ヘッドの下部に設けられ、被記録材を下側から支えるプラテンと、前記記録ヘッドの下流側に配置され、回転駆動する排紙駆動ローラと、この排紙駆動ローラの上側に配置され従動回転する排紙従動ローラとから構成される、記録の行われた被記録材を排出する排紙ローラと、前記排紙ローラの下流側に配置され、排紙された被記録材を支持するスタッカとを備えた記録装置であって、前記スタッカの頂点部の高さ位置が、前記排紙駆動ローラの頂点部の高さ位置より高く構成されていることを特徴とする。
【０００８】
この特徴によれば、前記スタッカの頂点部の高さ位置が、前記排紙駆動ローラの頂点部の高さ位置より高く構成されているので、被記録材の後端が搬送ローラから外れ、当該被記録材を狭持して搬送姿勢を規制するのが排紙ローラのみとなった場合において、被記録材の先端側はスタッカの頂点部の高さ位置まで持ち上げられて支持されるので、被記録材後端側の跳ね上がり現象を生じることがない。すなわち、被記録材の後端が搬送ローラから外れて排紙ローラにのみ狭持されている場合であっても、排紙ローラによって狭持されているところより上流側（すなわち、被記録材後端側）における記録ヘッドとの距離が変化することがなく、当該被記録材全体にわたって記録ヘッドとの距離を一定に保つことができる。
従って、排紙ローラにのみ狭持されている被記録材の後端側においても正常な記録を行うことができ、また、記録ヘッドと接触することによる汚損を生じることもない。
【０００９】
また、請求項２に記載の記録装置の発明は、請求項１において、前記スタッカは、記録装置本体部に取り付けられ、上面が被記録材載置面を形成するスタッカ基部と、使用時には排紙方向に向けて前記スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部とを有し、少なくとも前記スタッカ基部における頂点部の高さ位置が、前記排紙駆動ローラの頂点部の高さ位置より高く構成されていることを特徴とする。この特徴によれば、請求項１と同様の作用効果が得られる。また、例えばハガキなどの比較的小さい被記録材に対しても同様の作用効果が得られる。
【００１０】
また、請求項３に記載の記録装置の発明は、請求項１において、前記スタッカは、記録装置本体部に取り付けられ、上面が被記録材載置面を形成するスタッカ基部と、使用時には排紙方向に向けて前記スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部とを有し、少なくとも前記スタッカ引き出し部における頂点部の高さ位置が、前記排紙駆動ローラの頂点部の高さ位置より高く構成されていることを特徴とする。この特徴によれば、請求項１と同様の作用効果が得られる。
【００１１】
また、請求項４に記載の記録装置の発明は、請求項１において、前記スタッカは、記録装置本体部に取り付けられ、上面が被記録材載置面を形成するスタッカ基部と、使用時には排紙方向に向けて前記スタッカ基部から引き出されることによって上面が当該スタッカ基部とともに被記録材載置面を形成し、非使用時には上流側に向けて押し込まれることによって当該スタッカ基部に収納される、当該スタッカ基部に対して摺動可能に取り付けられたスタッカ引き出し部とを有し、前記スタッカ基部における頂点部の高さ位置と、前記スタッカ引き出し部における頂点部の高さ位置とが、前記排紙駆動ローラの頂点部の高さ位置より高く構成されていることを特徴とする。この特徴によれば、請求項１と同様の作用効果が得られる。
【００１２】
【発明の実施の形態】
以下、本発明の一実施形態について図面を参照しつつ説明する。
＜インクジェットプリンタの構成＞
まず、図１から図３を参照しつつ本発明に係るインクジェットプリンタ１００の構成について概説する。ここで、図１はインクジェットプリンタ１００の外観斜視図であり、図２は同インクジェットプリンタ１００の側断面図であり、図３は同インクジェットプリンタ１００の要部斜視図である。
【００１３】
プリンタ１００は、装置本体部３の後方側（上流側）に給紙部４を、前方側（下流側）に排紙部５を備えている。給紙部４は、給紙装置１１を備え、この給紙装置１１は被記録材としての用紙を複数枚、傾斜姿勢で堆積保持するホッパ１２と、回動することにより用紙を給紙する給紙ローラ１３を有している。ホッパ１２は、上流側の揺動支点１２ａを中心として揺動することにより、給紙ローラ１３に向けて圧接および離間動作ができるように構成されている。給紙ローラ１３は、側面視略変形Ｄ型に構成されていて、その周面が高摩擦部材により形成されており、給紙ローラ軸１３ａを中心として回動（図２において反時計回り）することにより、当該給紙ローラ１３に接触した用紙を確実に下流側に給紙できるようになっている。
【００１４】
このような構成により、ホッパ１２が給紙ローラ１３に対して圧接動作を行うことにより、当該ホッパ１２に堆積保持されている用紙の最上位のものが給紙ローラ１３と接触し、この状態で給紙ローラ１３が回動することによって最上位の用紙が次位以降の用紙から分離され、当該最上位の用紙のみ、すなわち１枚ずつ下流側に給紙されるようになっている。
【００１５】
給紙された用紙は、回転駆動する搬送駆動ローラ１５ａと、この搬送駆動ローラの上側に配置され従動回転する搬送従動ローラ１５ｂとから構成される搬送ローラ１５に狭持されて記録部へと搬送される。搬送駆動ローラ１５ａは主走査方向（図２において紙面表裏方向）に長い棒状のローラで構成されており、一方の搬送従動ローラ１５ｂは主走査方向に短く所定の間隔で配置された複数のローラで構成されていて、搬送従動ローラホルダ１６の下流側において、搬送駆動ローラ１５ａより若干下流側の位置で自由回転可能に軸支されている。搬送従動ローラホルダ１６は回動軸を中心として回動可能に設けられ、ねじりコイルバネにより搬送従動ローラ１５ｂが搬送駆動ローラ１５ａに圧接する方向に回動付勢されている。
【００１６】
搬送ローラ１５の下流側の記録部には、複数のインクカートリッジ２５を備えたキャリッジ２１が配置されている。このキャリッジ２１は主走査方向に延びるキャリッジガイド軸２２に支持され、当該キャリッジガイド軸２２に沿って主走査方向に往復移動可能に設けられている。キャリッジ２１の底部には記録ヘッド２３が配置され、用紙に向けてインクを吐出することができるようになっている。なお、符号２６はインクカートリッジ２５の交換手段を示すものである。
【００１７】
記録ヘッド２３の対向する位置にはプラテン２９が配置され、これにより記録ヘッド２３とプラテン２９とが上下に対向するように配設されている。プラテン２９は主走査方向に長く構成され、搬送ローラ１５によって記録ヘッド２３とプラテン２９との間に送られた用紙を下側から支持できるようになっている。
【００１８】
記録部の下流は排紙部５となっていて、回転駆動する排紙駆動ローラ３１ａと、この排紙駆動ローラ３１ａの上側に配置され従動回転する排紙従動ローラ３１ｂとから構成される排紙ローラ３１が設けられている。排紙駆動ローラ３１ａは主走査方向に長い棒状のローラで構成されており、一方の排紙従動ローラ３１ｂは主走査方向に所定間隔で配置された、周囲に複数の歯を有する複数の歯付きローラから構成されていて、排紙フレーム３２において排紙駆動ローラ３１ａより若干上流側の位置で自由回転可能に取り付けられている。記録ヘッド２３によって記録の行われた用紙は、排紙ローラ３１によって狭持されて排紙駆動ローラ３１ａが回転駆動することにより排紙される。
【００１９】
このような構成により、搬送ローラ１５および排紙ローラ３１とで狭持された用紙は、下に凸となるように付勢されてプラテン２９に押しつけられる。これにより記録ヘッド２３と用紙との距離が規定されるようになっている。そして用紙は搬送ローラ１５および排紙ローラ３１によって下流側に搬送されつつ記録が行われ、当該用紙の後端が搬送ローラ１５から外れた後（すなわち、排紙ローラ３１のみで狭持されて搬送されている状態）においても引き続き記録を行うことができるようになっている。
【００２０】
＜スタッカの構成＞
ここで、本実施形態におけるスタッカ５０の構成について、図４を参照しつつ説明する。ここで図４は、インクジェットプリンタ１００の要部側断面図であり、補助線Ａは排紙駆動ローラの頂点部の高さ位置を示し、補助線Ｂは排紙駆動ローラの頂点部とスタッカの頂点部を結ぶ線である。
【００２１】
排紙ローラ３１の下流側にはスタッカ５０が設けられている。スタッカ５０は装置本体部３を下側から覆うダウンハウジング９に係合部５０ａで取り付けられている。そして、スタッカ５０は係合部５０ａを回動支点にして回動可能であり、使用時にはインクジェットプリンタ１００の載置面側に回動することによって、下流側が上方向を向くような傾斜姿勢となって用紙を支持し、非使用時には装置本体部３側に回動することによって、略垂直姿勢となって設置スペースを節約することができるようになっている。
【００２２】
スタッカ５０は、係合部５０ａにおいてダウンハウジング９に取り付けられ、上面が用紙載置面を形成するスタッカ基部５１と、使用時には排紙方向（装置本体部３の前面方向）に向けてスタッカ基部５１から引き出されることにより、スタッカ基部５１と同様に上面が用紙載置面を形成し、非使用時には上流側（装置本体部３側）に向けて押し込まれることによってスタッカ基部５１に収納される、スタッカ基部５１に対して摺動可能に取り付けられたスタッカ引き出し部５２を有している。
【００２３】
そして図４に示す如く、スタッカ５０の頂点部５３、本実施形態においてはスタッカ引き出し部５２の下流側端部における高さ位置が、前記した排紙駆動ローラ３１ａの頂点部の高さ位置より高くなるように構成されている。排紙駆動ローラ３１ａの頂点部からスタッカ頂点部５３までの高さの差Ｌは、スタッカ５０の形状、排紙駆動ローラ３１ａからスタッカ頂点部５３までの距離等により適宜設定することができる。
【００２４】
このような構成により、用紙を搬送して当該用紙の後端が搬送ローラ１５の狭持から外れた場合（すなわち、当該用紙が排紙ローラ３１のみで狭持されている場合）において、当該用紙の先端側がスタッカの頂点部５３であるスタッカ引き出し部５２の下流側端部によって支持されるので、排紙駆動ローラの頂点を支点とした用紙後端側の跳ね上がり現象を生じることがない。すなわち、従来用紙後端が搬送ローラから外れた場合において、用紙先端側が垂れ下がり排紙駆動ローラの頂点を支点として記録ヘッド下にある用紙後端側がプラテンから浮き上がる、いわゆる跳ね上がり現象を生じていたが、本発明のインクジェットプリンタ１００においては用紙先端側がスタッカの頂点部５３の高さ位置まで持ち上げられて支持されるのでこのようなことがなく、用紙後端が搬送ローラ１５から外れた場合においても、用紙後端側の記録ヘッド２３との距離を正確に規定することができ、もって正常な印刷を行うことができる。また、用紙が記録ヘッド２３と接触することもないので、汚損を生じることもない。
【００２５】
ここでは、スタッカ５０のスタッカ引き出し部５２における頂点部の高さ位置が排紙駆動ローラ３１ａの頂点部の高さ位置より高い実施形態について説明したが、本発明はこれに限られるものではない。例えば、図５に示す如く、少なくともスッタカ基部５１における頂点部５４の高さ位置が、排紙駆動ローラ３１ａの頂点部の高さ位置より高く構成されたもの、または、図６に示す如く、スタッカ基部５１における頂点部５４の高さ位置と、スタッカ引き出し部５２における頂点部５３の高さ位置とが、排紙駆動ローラ３１ａの頂点部の高さ位置より高く構成されたものについても本発明に含まれるものである。なお、図５および図６においても、補助線Ａは排紙駆動ローラの頂点部の高さ位置を示し、補助線Ｂは排紙駆動ローラの頂点部とスタッカの頂点部を結ぶ線である。
【００２６】
また、排紙駆動ローラ３１ａの頂点部からスタッカ頂点部５３までの距離は、インクジェットプリンタ１００における用紙サイズ等により適宜規定することができるが、例えば以下のように設定することができる。
【００２７】
本実施形態におけるインクジェットプリンタ１００の記録対象用紙サイズとしては、例えば、Ａ５サイズ（１４８ｍｍ×２１０ｍｍ）、Ａ６サイズ（１０５ｍｍ×１４８ｍｍ）、Ｂ５サイズ（１８２ｍｍ×２５７ｍｍ）、Ａ４サイズ（２１０ｍｍ×２９７ｍｍ）、Ｌｅｔｔｅｒサイズ（２１５．９ｍｍ×２７９．４ｍｍ）、４”×６”サイズ（１１３．６ｍｍ×１７５．４ｍｍ）、５”×８”サイズ（１２７ｍｍ×２０３．２ｍｍ）、８”×１０”サイズ（２０３．２ｍｍ×２５４ｍｍ）などを例示することができる。［ここで、（　）内は、縦寸法×横寸法を示す。］
このとき排紙駆動ローラ３１ａから近い方のスタッカ基部５１の頂点部は、Ａ５サイズ、Ａ４サイズ、Ｌｅｔｔｅｒサイズなどの長尺サイズ紙の用紙中腹を支持し、かつ、４”×６”サイズもしくはＡ６サイズの用紙を支持できるように、排紙駆動ローラ３１ａの頂点部より、１２０〜１８０ｍｍの位置に配置することが好ましい。
【００２８】
また、排紙駆動ローラ３１ａから遠い方のスタッカ引き出し部５２の頂点部は、５”×８”サイズもしくは８”×１０”サイズの用紙を支持することができ、かつ、長尺サイズ紙が支持可能であるように、排紙駆動ローラ３１ａの頂点部より、１８０〜２３０ｍｍの位置に配置することが好ましい。
【００２９】
【発明の効果】
以上説明したように本発明によれば、スタッカの頂点部の高さ位置が、排紙駆動ローラの頂点部の高さ位置より高く構成されているので、被記録材の後端が搬送ローラから外れ、当該被記録材を狭持して搬送姿勢を規制するのが排紙ローラのみとなった場合において、被記録材の先端側がスタッカの頂点部の高さ位置まで持ち上がり支持されるので、被記録材の先端側が垂れ下がることによる後端側の跳ね上がり現象を生じることがない。すなわち、被記録材の後端が搬送ローラから外れて排紙ローラにのみ狭持されている場合であっても、排紙ローラによって狭持されているところより上流側（すなわち、被記録材後端側）における記録ヘッドとの距離が変化することがなく、当該被記録材全体にわたって記録ヘッドとの距離を一定に保つことができ、もって正常な記録を行うことが可能である。
【図面の簡単な説明】
【図１】本発明に係るインクジェットプリンタの外観斜視図である。
【図２】同インクジェットプリンタの側断面図である。
【図３】同インクジェットプリンタの要部斜視図である。
【図４】同インクジェットプリンタの要部側断面図である。
【図５】本発明に係る別の実施形態におけるインクジェットプリンタの要部側断面図である。
【図６】本発明に係る更に別の実施形態におけるインクジェットプリンタの要部側断面図である。
【符号の説明】
３　装置本体部
４　給紙部
５　排紙部
９　ダウンハウジング
１１　給紙装置
１２　ホッパ
１３　給紙ローラ
１５　搬送ローラ
１５ａ　搬送駆動ローラ
１５ｂ　搬送従動ローラ
１６　搬送従動ローラホルダ
２１　キャリッジ
２２　キャリッジガイド軸
２３　記録ヘッド
２５　インクカートリッジ
２６　インクカートリッジ交換手段
２９　プラテン
３１　排紙ローラ
３１ａ　排紙駆動ローラ
３１ｂ　排紙従動ローラ
３２　排紙フレーム
５０　スタッカ
５１　スタッカ基部
５２　スタッカ引き出し部
５３　スタッカ引き出し部の頂点部
５４　スタッカ基部の頂点部
１００　インクジェットプリンタ
Ａ　排紙駆動ローラの頂点部の高さ位置を示す補助線
Ｂ　排紙駆動ローラの頂点部とスタッカの頂点部を結ぶ補助線
【図１】
2004025451.tif 000003
【図２】
2004025451.tif 000004
【図３】
2004025451.tif 000005
【図４】
2004025451.tif 000006
【図５】
2004025451.tif 000007
【図６】
2004025451.tif 000008